(57)【要約】  【課題】  光信号の検出の信頼性を従来より向上することができる光路切換装置を提供する。  【解決手段】  光路切換装置２０は、筐体２１と、筐体２１内に収納されて各種光学部品を搭載するプラットフォーム２２と、光信号が入力される光ファイバコリメータ２３、２４と、光信号が出力される光ファイバコリメータ２５と、自身の状態の変化によって光の経路を切り換える平行プリズム２６と、平行プリズム２６を移動させるアクチュエータと、光の進行方向を変更する直角プリズム２８と、反射ミラー２９、３０と、光を検出する受光素子３１、３２と、光を吸収する光吸収体３３、３４とを備え、受光素子３１、３２は、平行プリズム２６の位置より光の経路における上流の光を検出する位置に配置される。【選択図】  図３
2006251045.tif 000002
【特許請求の範囲】
【請求項１】
自身の状態の変化によって光の経路を切り換える光路切換部品と、前記光を検出する光検出部品とを備え、
前記光検出部品は、前記光路切換部品の位置より前記経路における上流の前記光を検出する位置に配置されたことを特徴とする光路切換装置。
【請求項２】
自身の状態の変化によって光の経路を切り換える光路切換部品と、前記光を検出する光検出部品とを備え、
前記光検出部品は、前記光路切換部品によって反射された前記光を検出する位置に配置されたことを特徴とする光路切換装置。
【請求項３】
自身の状態の変化によって光の経路を切り換える光路切換部品と、前記光を検出する光検出部品とを備え、
前記光検出部品は、前記光路切換部品を透過した前記光を他の光学部品を介さずに直接検出する位置に配置されたことを特徴とする光路切換装置。
【発明の詳細な説明】
【技術分野】
【０００１】
本発明は、光の経路を切り換える光路切換装置に関するものである。
【背景技術】
【０００２】
従来、光路切換装置として、自身の状態の変化によって光の経路を切り換えるスイッチ用プリズムを透過した光を光分岐器を介して受光素子によって検出するものが知られている（例えば、特許文献１参照。）。
【０００３】
【特許文献１】特開２００３−２１７５６号公報（第４頁、第１図）
【発明の開示】
【発明が解決しようとする課題】
【０００４】
しかしながら、従来の光路切換装置においては、光信号が受光素子によって検出されるまでに多数の光学部品を介在するので、光信号が受光素子によって検出されるまでに光信号の波形が崩れ易かった。また、装置内の光の経路における下流側に受光素子が配置されているので、光信号が受光素子によって検出されるまでに装置内の環境の汚染（装置内への水分の浸入による結露、光学部品を固定していた接着剤の気化等）の影響を受け易かった。したがって、従来の光路切換装置においては、光信号の検出を失敗し易く、例えば、装置内の環境の汚染によって光信号の検出を失敗している場合であっても、装置より上流の回線の障害であると誤判断される可能性もあった。特に、光通信業界においては、光路切換装置に要求される品質保証期間が長期間（２０年間）であるので、光路切換装置には、装置内の環境の汚染等の経時変化に対する安定性が望まれている。
【０００５】
本発明は、従来の問題を解決するためになされたもので、光信号の検出の信頼性を従来より向上することができる光路切換装置を提供することを目的とする。
【課題を解決するための手段】
【０００６】
本発明の光路切換装置は、自身の状態の変化によって光の経路を切り換える光路切換部品と、前記光を検出する光検出部品とを備え、前記光検出部品は、前記光路切換部品の位置より前記経路における上流の前記光を検出する位置に配置された構成を有している。
【０００７】
この構成により、本発明の光路切換装置は、従来より上流の光を検出するので、光信号の検出の信頼性を従来より向上することができる。
【０００８】
また、本発明の光路切換装置は、自身の状態の変化によって光の経路を切り換える光路切換部品と、前記光を検出する光検出部品とを備え、前記光検出部品は、前記光路切換部品によって反射された前記光を検出する位置に配置された構成を有している。
【０００９】
この構成により、本発明の光路切換装置は、従来より上流の光を検出するので、光信号の検出の信頼性を従来より向上することができる。
【００１０】
また、本発明の光路切換装置は、自身の状態の変化によって光の経路を切り換える光路切換部品と、前記光を検出する光検出部品とを備え、前記光検出部品は、前記光路切換部品を透過した前記光を他の光学部品を介さずに直接検出する位置に配置された構成を有している。
【００１１】
この構成により、本発明の光路切換装置は、従来より上流の光を検出するので、光信号の検出の信頼性を従来より向上することができる。
【発明の効果】
【００１２】
本発明は、光信号の検出の信頼性を従来より向上することができる光路切換装置を提供することができるものである。
【発明を実施するための最良の形態】
【００１３】
以下、本発明の実施の形態について、図面を用いて説明する。
【００１４】
（第１の実施の形態）
まず、第１の実施の形態に係る光通信システムの構成について説明する。
【００１５】
図１に示すように、本実施の形態に係る光通信システム１０は、光信号を送信する光送信装置１１と、光信号を受信する光受信装置１２と、光送信装置１１によって送信された光信号を２つの回線に分岐させる光分岐装置１３と、光分岐装置１３によって分岐された２つの回線それぞれから光信号を入力するとともに光受信装置１２に受信される光信号を出力する機械式の光路切換装置２０と、光分岐装置１３によって分岐された２つの回線それぞれから入力された光信号のうち何れか一方を光受信装置１２に受信させるように光路切換装置２０の動作を制御する制御装置１４とを備えている。
【００１６】
光路切換装置２０は、図２に示すように、制御装置１４（図１参照。）も設置されているプリント基板１５に設置されている。光路切換装置２０及び制御装置１４は、プリント基板１５を介して電気的に接続されている。
【００１７】
図２及び図３に示すように、光路切換装置２０は、筐体２１と、筐体２１内に収納されて各種光学部品を搭載するプラットフォーム２２と、光分岐装置１３（図１参照。）によって分岐された２つの回線の一方からの光信号が入力される光ファイバコリメータ２３と、光分岐装置１３によって分岐された２つの回線の他方からの光信号が入力される光ファイバコリメータ２４と、光受信装置１２（図１参照。）に受信される光信号が出力される光ファイバコリメータ２５と、プラットフォーム２２と直交する矢印２２ａで示す方向及び矢印２２ａで示す方向とは逆向きの矢印２２ｂで示す方向における自身の位置の変化、即ち、自身の状態の変化によって光の経路を切り換える光路切換部品としての平行プリズム２６と、平行プリズム２６に対して矢印２２ａで示す方向に配置されて平行プリズム２６を矢印２２ａで示す方向及び矢印２２ｂで示す方向に移動させるアクチュエータ２７と、光の進行方向を変更する直角プリズム２８と、入射光の全部を反射する反射ミラー２９、３０と、光を検出する光検出部品としての受光素子３１、３２と、光を吸収する光吸収体３３、３４とを備えている。
【００１８】
プラットフォーム２２には、光ファイバコリメータ２３〜２５と、直角プリズム２８と、反射ミラー２９、３０と、受光素子３１、３２と、光吸収体３４とが固定されている。また、光吸収体３３は、平行プリズム２６に固定されている。
【００１９】
光ファイバコリメータ２３は、光ファイバ２３ａと、レンズ２３ｂとから構成されている。同様に、光ファイバコリメータ２４は、光ファイバ２４ａ及びレンズ２４ｂから構成されていて、光ファイバコリメータ２５は、光ファイバ２５ａ及びレンズ２５ｂから構成されている。
【００２０】
平行プリズム２６は、入射光の全部を反射する反射ミラー２６ａ、２６ｂが膜によって形成されている。
【００２１】
直角プリズム２８は、入射光の全部を反射する反射ミラー２８ａ、２８ｂが膜によって形成されている。
【００２２】
受光素子３１、３２は、平行プリズム２６の位置より光の経路における上流の光を検出する位置に配置されている。
【００２３】
受光素子３１、３２は、検出した光信号を電気信号に変換して制御装置１４に出力するようになっている。また、アクチュエータ２７は、制御装置１４（図１参照。）からの制御信号に応じて平行プリズム２６を移動させるようになっている。
【００２４】
反射ミラー２９は、図４に示すように、光ファイバコリメータ２３から出力された光２３Ａのうち幅方向の一部（以下、例として５％として説明する。）のみが入射される位置に配置されることによって、光ファイバコリメータ２３から出力された光２３Ａの５％を反射するようになっている。同様に、反射ミラー３０は、光ファイバコリメータ２４から出力された光のうち幅方向の５％のみが入射される位置に配置されることによって、光ファイバコリメータ２４から出力された光の５％を反射するようになっている。
【００２５】
次に、光通信システム１０の動作について説明する。
【００２６】
光送信装置１１によって送信された光信号は、光分岐装置１３によって２つの回線に分岐されてそれぞれ光路切換装置２０に入力される。
【００２７】
光路切換装置２０では、検出した光の量をそれぞれ電気信号に変換して制御装置１４に出力する。そして、制御装置１４は、光分岐装置１３によって分岐された２つの回線に障害が生じているか否かを光路切換装置２０から入力された電気信号に基づいて判断し、障害が生じていない回線から入力された光信号を光受信装置１２に受信させるように光路切換装置２０の動作を制御する。
【００２８】
なお、「障害」とは、所定の光量レベルや波長を指し、所定の光量レベルより大きすぎる場合や小さすぎる場合、所定の波長より短い波長の場合や長い波長の場合などが障害の例にあたる。
【００２９】
したがって、光受信装置１２には、光分岐装置１３と光路切換装置２０との間の回線のうち障害が生じていない回線を通った光信号が受信される。
【００３０】
以下、光路切換装置２０の動作について詳細に説明する。
【００３１】
制御装置１４は、光ファイバコリメータ２３に接続された回線に障害が生じていないと判断しているとき、光ファイバコリメータ２３から出射された光の量を受光素子３１からの電気信号に基づいて算出する。ここで、光ファイバコリメータ２３から出力された光２３Ａを反射ミラー２９が反射する率（上述した例では５％）、受光素子３１の受光量、光ファイバコリメータ２３から出射された光の量をそれぞれＲ、ｐ１、Ｐとすると、Ｐは、「数１」によって算出可能である。
【数１】
2006251045.tif 000003
【００３２】
そして、制御装置１４は、光ファイバコリメータ２３から出射された光の量が所定の範囲内の量であるとき、光ファイバコリメータ２３に接続された回線に障害が生じていないと判断し、平行プリズム２６が移動範囲のうち矢印２２ａで示す方向の端に待機するようにアクチュエータ２７に制御信号を送信する。したがって、アクチュエータ２７は、制御装置１４からの制御信号に応じて平行プリズム２６を移動範囲のうち矢印２２ａで示す方向の端に待機させる。
【００３３】
平行プリズム２６が移動範囲のうち矢印２２ａで示す方向の端に位置するとき、光路切換装置２０内の光は図３（ａ）に点線の矢線で示すように進行する。即ち、光ファイバコリメータ２３から出力された光は、５％が反射ミラー２９によって反射されて受光素子３１によって検出されるとともに、残り９５％が平行プリズム２６に対して矢印２２ｂで示す方向側を通過して直角プリズム２８の反射ミラー２８ａ、２８ｂによって進行方向が変更されて光ファイバコリメータ２５に入力される。光ファイバコリメータ２４から出力された光は、５％が反射ミラー３０によって反射されて受光素子３２によって検出されるとともに、残り９５％が平行プリズム２６に対して矢印２２ｂで示す方向側を通過して光吸収体３４に吸収される。
【００３４】
したがって、光ファイバコリメータ２３に接続された回線に障害が生じていないと制御装置１４が判断したとき、光ファイバコリメータ２３に接続された回線を通った光信号が光受信装置１２に受信される。
【００３５】
なお、ミラー２９で反射する光の波長は入射する光の波長の全帯域であっても良く、また一部であっても良い。
【００３６】
一方、制御装置１４は、光ファイバコリメータ２３から出射された光の量が所定の範囲内の量ではないとき、光ファイバコリメータ２３に接続された回線に障害が生じていると判断し、平行プリズム２６が移動範囲のうち矢印２２ｂで示す方向の端に移動するようにアクチュエータ２７に制御信号を送信する。したがって、アクチュエータ２７は、制御装置１４からの制御信号に応じて平行プリズム２６を移動範囲のうち矢印２２ｂで示す方向の端に移動させる。
【００３７】
平行プリズム２６が移動範囲のうち矢印２２ｂで示す方向の端に位置するとき、光路切換装置２０内の光は図３（ｂ）に点線の矢線で示すように進行する。即ち、光ファイバコリメータ２３から出力された光は、５％が反射ミラー２９によって反射されて受光素子３１によって検出されるとともに、残り９５％が平行プリズム２６に固定された光吸収体３３に吸収される。光ファイバコリメータ２４から出力された光は、５％が反射ミラー３０によって反射されて受光素子３２によって検出されるとともに、残り９５％が平行プリズム２６の反射ミラー２６ａ、２６ｂ及び直角プリズム２８の反射ミラー２８ａ、２８ｂによって進行方向が変更されて光ファイバコリメータ２５に入力される。
【００３８】
したがって、光ファイバコリメータ２３に接続された回線に障害が生じていると制御装置１４が判断したとき、光ファイバコリメータ２４に接続された回線を通った光信号が光受信装置１２に受信される。
【００３９】
なお、制御装置１４は、光ファイバコリメータ２４に接続された回線に障害が生じているか否かについても受光素子３２からの電気信号に基づいて常時監視している。
【００４０】
とともに、前記光信号に対する監視は、受光素子に入射される光の量のみならず、光信号に含まれる光の波長、周波数、位相あるいは符号化された信号に対してでも良い。すなわち、制御装置１４は所定の光の波長あるいは波形そのもの（周波数、位相、符号化された光信号など）を検出した際に、アクチュエータ２７に制御信号を送信し、光路を切り替えるものであっても良く、これは光送信装置１１から光受信装置１２への光信号の伝送速度が例えば１００Ｇｂｐｓを越えると、回線障害によって光信号は光の波長、周波数、位相が変化することによる。また、他の伝送系より光送信装置１１から光受信装置１２への光信号の伝送経路を変更する場合においては、他の伝送系より符号化された光信号を送信する場合もある。
【００４１】
以上に説明したように、光路切換装置２０は、光路切換部品である平行プリズム２６の位置より光の経路における上流の光を検出する位置に受光素子３１、３２が配置されて従来より上流の光を検出するので、光信号の検出の信頼性を従来より向上することができる。
【００４２】
また、光路切換装置２０は、反射ミラー２９、３０が入射光の全部を反射するので、偏波依存性損失（ＰＤＬ）を少なくすることができるとともに、反射ミラー２９、３０として汎用なミラーを使用可能である。なお、反射ミラー２９、３０は、入射光の一部（例えば５％）を反射して残りを透過させるハーフミラーであれば、光ファイバコリメータ２３、２４から出力された光の全部が入射される位置に配置されていても良い。
【００４３】
また、光路切換装置２０は、図５に示すように、受光素子３１、３２をそれぞれ反射ミラー２９、３０に対して矢印２２ａで示す方向に配置し、光ファイバコリメータ２３、２４から出力された光の一部をそれぞれ受光素子３１、３２に向けて矢印２２ａで示す方向に反射するように反射ミラー２９、３０をプラットフォーム２２に対して傾けて固定しても良い。光路切換装置２０は、図５に示す構成である場合、図３に示す構成と比較して小型化することができる。また、光路切換装置２０は、図５に示す構成である場合、受光素子３１、３２からプリント基板１５までの配線長が図３に示す構成と比較して短いので、受光素子３１、３２が出力する電気信号が微小であっても外乱ノイズの影響を図３に示す構成と比較して受け難い。
【００４４】
また、光路切換装置２０は、光ファイバコリメータ２３〜２５や平行プリズム２６等の各光学部品の基準面となる部材、即ち、光学定盤として機能するプラットフォーム２２を備えているので、各光学部品の位置決め精度をサブミクロンレベルで実現することが可能であるとともに、周囲の温度や湿度が変化したときであっても各光学部品の位置関係を維持することができる。
【００４５】
（第２の実施の形態）
まず、第２の実施の形態に係る光通信システムの構成について説明する。
【００４６】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００４７】
本実施の形態に係る光通信システムの構成は、図６に示す機械式の光路切換装置４０を光路切換装置２０（図３参照。）に代えて光通信システム１０が備えた構成と同様である。
【００４８】
光路切換装置４０の構成は、入射光の一部（例えば５％）を反射して残りを透過させるハーフミラー４１ａ、４２ａが膜によってそれぞれ形成されたビームスプリッタ４１、４２を反射ミラー２９、３０（図３参照。）に代えて光路切換装置２０が備えた構成と同様である。
【００４９】
ビームスプリッタ４１、４２は、プラットフォーム２２に固定されている。なお、ビームスプリッタ４１、４２は、図４に示す反射ミラー２９、３０のように光ファイバコリメータ２３、２４から出力された光のうち幅方向の一部のみが入射される位置に配置されるようになっていれば、ハーフミラー４１ａ、４２ａに代えて入射光の全部を反射する反射ミラーが形成されていても良い。
【００５０】
次に、本実施の形態に係る光通信システムの動作について説明する。
【００５１】
本実施の形態に係る光通信システムの動作は、第１の実施の形態に係る光通信システム１０（図１参照。）の動作とほぼ同様であるので、詳細な説明を省略する。
【００５２】
光路切換装置４０内の光は、光ファイバコリメータ２３に接続された回線に障害が生じていないと制御装置１４が判断しているときに図６（ａ）に点線の矢線で示すように進行し、光ファイバコリメータ２３に接続された回線に障害が生じたと制御装置１４が判断したときに図６（ｂ）に点線の矢線で示すように進行する。
【００５３】
以上に説明したように、光路切換装置４０は、光路切換部品である平行プリズム２６の位置より光の経路における上流の光を検出する位置に受光素子３１、３２が配置されて従来より上流の光を検出するので、光信号の検出の信頼性を従来より向上することができる。
【００５４】
また、光路切換装置４０は、第１の実施の形態に係る光路切換装置２０（図３参照。）のように薄い反射ミラー２９、３０（図３参照。）ではなく、プラットフォーム２２への設置面積が大きいビームスプリッタ４１、４２を備えているので、プラットフォーム２２に対するハーフミラー４１ａ、４２ａの固定作業を容易化することができるとともに、プラットフォーム２２に対するハーフミラー４１ａ、４２ａの傾きを微調整する必要がない。また、光路切換装置４０は、光路切換装置２０のように薄い反射ミラー２９、３０ではなく、プラットフォーム２２への設置面積が大きいビームスプリッタ４１、４２を備えているので、時間の経過とともにプラットフォーム２２に対してハーフミラー４１ａ、４２ａが傾いてくることを防止することができ、光信号の検出の信頼性を長期間維持することができる。
【００５５】
（第３の実施の形態）
まず、第３の実施の形態に係る光通信システムの構成について説明する。
【００５６】
なお、本実施の形態に係る光通信システムの構成のうち、第２の実施の形態に係る光通信システムの構成と同様な構成については、第２の実施の形態に係る光通信システムの構成と同一の符号を付して詳細な説明を省略する。
【００５７】
本実施の形態に係る光通信システムの構成は、図７に示す機械式の光路切換装置６０を光路切換装置４０（図６参照。）に代えて第２の実施の形態に係る光通信システムが備えた構成と同様である。
【００５８】
光路切換装置６０の構成は、光路切換装置４０において受光素子３１、３２をそれぞれビームスプリッタ４１、４２に直接固定した構成と同様である。
【００５９】
次に、本実施の形態に係る光通信システムの動作について説明する。
【００６０】
本実施の形態に係る光通信システムの動作は、第２の実施の形態に係る光通信システムの動作とほぼ同様であるので、詳細な説明を省略する。
【００６１】
光路切換装置６０内の光は、光ファイバコリメータ２３に接続された回線に障害が生じていないと制御装置１４が判断しているときに図７（ａ）に点線の矢線で示すように進行し、光ファイバコリメータ２３に接続された回線に障害が生じたと制御装置１４が判断したときに図７（ｂ）に点線の矢線で示すように進行する。
【００６２】
以上に説明したように、光路切換装置６０は、光路切換部品である平行プリズム２６の位置より光の経路における上流の光を検出する位置に受光素子３１、３２が配置されて従来より上流の光を検出するので、光信号の検出の信頼性を従来より向上することができる。
【００６３】
また、光路切換装置６０は、受光素子３１、３２がそれぞれビームスプリッタ４１、４２に直接固定されているので、受光素子３１、３２がそれぞれ予めビームスプリッタ４１、４２に固定されてからビームスプリッタ４１、４２がプラットフォーム２２に固定されるようにすれば、ビームスプリッタ４１、４２がプラットフォーム２２に固定されるときに、受光素子３１とビームスプリッタ４１との間の光軸及び受光素子３２とビームスプリッタ４２との間の光軸の調整作業を省略することができ、組立作業を容易化することができる。
【００６４】
（第４の実施の形態）
まず、第４の実施の形態に係る光通信システムの構成について説明する。
【００６５】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００６６】
本実施の形態に係る光通信システムの構成は、図８に示す機械式の光路切換装置８０を光路切換装置２０（図３参照。）に代えて光通信システム１０が備えた構成と同様である。
【００６７】
光路切換装置８０の構成は、入射光の全部を反射する反射ミラー８１ａ、８２ａがそれぞれ膜によって形成されたガラスブロック８１、８２を反射ミラー２９、３０（図３参照。）に代えて光路切換装置２０が備え、プラットフォーム２２に対する受光素子３１、３２の固定位置が変更された構成と同様である。
【００６８】
ガラスブロック８１、８２は、プラットフォーム２２に固定されている。
【００６９】
ガラスブロック８１は、図９に示すように、光ファイバコリメータ２３から出力された光２３Ａのうち幅方向の一部のみが入射される位置に配置されることによって、光ファイバコリメータ２３から出力された光２３Ａの一部を反射するようになっている。また、ガラスブロック８１は、光ファイバコリメータ２３から出力された光２３Ａの入射面８１Ａと、反射面８１Ｂとのなす角度８１Ｃが４５度であり、入射面８１Ａが光２３Ａの進行方向に対して略垂直になるように配置されている。ガラスブロック８１について説明したが、ガラスブロック８２についても同様である。
【００７０】
次に、本実施の形態に係る光通信システムの動作について説明する。
【００７１】
本実施の形態に係る光通信システムの動作は、第１の実施の形態に係る光通信システム１０（図１参照。）の動作とほぼ同様であるので、詳細な説明を省略する。
【００７２】
光路切換装置８０内の光は、光ファイバコリメータ２３に接続された回線に障害が生じていないと制御装置１４が判断しているときに図８（ａ）に点線の矢線で示すように進行し、光ファイバコリメータ２３に接続された回線に障害が生じたと制御装置１４が判断したときに図８（ｂ）に点線の矢線で示すように進行する。
【００７３】
以上に説明したように、光路切換装置８０は、光路切換部品である平行プリズム２６の位置より光の経路における上流の光を検出する位置に受光素子３１、３２が配置されて従来より上流の光を検出するので、光信号の検出の信頼性を従来より向上することができる。
【００７４】
また、光路切換装置８０は、光ファイバコリメータ２３から出力された光２３Ａの進行方向に対してガラスブロック８１の入射面８１Ａが略垂直になるようにガラスブロック８１が配置されているので、ガラスブロック８１の入射面８１Ａに安価な反射防止膜を施すことができる。また、光路切換装置８０は、ガラスブロック８１の反射ミラー８１ａが入射光の全部を反射するので、一般的な安価な反射膜によって反射ミラー８１ａが形成されることが可能である。また、光路切換装置８０は、光２３Ａの進行方向に対して入射面８１Ａが略垂直になるようにガラスブロック８１が配置されているとともに、ガラスブロック８１の反射面８１Ｂに反射ミラー８１ａが形成されているので、偏波依存性損失を少なくすることができる。また、光路切換装置８０は、第１の実施の形態に係る光路切換装置２０（図３参照。）のように薄い反射ミラー２９（図３参照。）ではなく、プラットフォーム２２への設置面積が大きいガラスブロック８１を備えているので、プラットフォーム２２に対する反射ミラー８１ａの固定作業を容易化することができるとともに、プラットフォーム２２に対する反射ミラー８１ａの傾きを微調整する必要がない。また、光路切換装置８０は、光路切換装置２０のように薄い反射ミラー２９ではなく、プラットフォーム２２への設置面積が大きいガラスブロック８１を備えているので、時間の経過とともにプラットフォーム２２に対して反射ミラー８１ａが傾いてくることを防止することができ、光信号の検出の信頼性を長期間維持することができる。ガラスブロック８１について説明したが、ガラスブロック８２についても同様である。
【００７５】
なお、ガラスブロック８１は、図１０に示すように、角度８１Ｃが４５度未満であっても良い。光路切換装置８０は、ガラスブロック８１の角度８１Ｃが４５度未満である場合、受光素子３１によって受光される光の幅が狭まって光の強度が増加するので、受光素子３１による受光効率を向上することができる。また、光路切換装置８０は、ガラスブロック８１の角度８１Ｃが４５度未満である場合、受光素子３１によって受光される光の光束が狭まるので、受光素子３１の受光面積を小さくすることができ、結果として、安価な受光素子３１を使用することや、光信号に対する受光素子３１の応答性を向上することや、受光素子３１の出力信号に発生するノイズを低減すること等ができる。ガラスブロック８１について説明したが、ガラスブロック８２についても同様である。
【００７６】
（第５の実施の形態）
まず、第５の実施の形態に係る光通信システムの構成について説明する。
【００７７】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【００７８】
本実施の形態に係る光通信システムの構成は、図１１に示す機械式の光路切換装置１００を光路切換装置２０（図３参照。）に代えて光通信システム１０が備えた構成と同様である。
【００７９】
光路切換装置１００の構成は、入射光の一部（例えば５％）を反射して残りを透過させる１枚のハーフミラー１０１を反射ミラー２９、３０（図３参照。）に代えて光路切換装置２０が備え、プラットフォーム２２に対する受光素子３１、３２の固定位置が変更された構成と同様である。
【００８０】
ハーフミラー１０１は、プラットフォーム２２に固定されている。
【００８１】
次に、本実施の形態に係る光通信システムの動作について説明する。
【００８２】
本実施の形態に係る光通信システムの動作は、第１の実施の形態に係る光通信システム１０（図１参照。）の動作とほぼ同様であるので、詳細な説明を省略する。
【００８３】
光路切換装置１００内の光は、光ファイバコリメータ２３に接続された回線に障害が生じていないと制御装置１４が判断しているときに図１１（ａ）に点線の矢線で示すように進行し、光ファイバコリメータ２３に接続された回線に障害が生じたと制御装置１４が判断したときに図１１（ｂ）に点線の矢線で示すように進行する。
【００８４】
以上に説明したように、光路切換装置１００は、光路切換部品である平行プリズム２６の位置より光の経路における上流の光を検出する位置に受光素子３１、３２が配置されて従来より上流の光を検出するので、光信号の検出の信頼性を従来より向上することができる。
【００８５】
また、光路切換装置１００は、第１の実施の形態に係る光路切換装置２０（図３参照。）のように２枚の反射ミラー２９、３０（図３参照。）ではなく、１枚のハーフミラー１０１を備えているので、プラットフォーム２２への光学部品の固定作業の工程数を少なくすることができる。また、光路切換装置１００は、第１の実施の形態に係る光路切換装置２０（図３参照。）のように小さい反射ミラー２９、３０（図３参照。）ではなく、１枚の大きいハーフミラー１０１を備えているので、プラットフォーム２２にハーフミラー１０１が固定されるときに、ハーフミラー１０１の位置精度を向上することができる。
【００８６】
なお、光路切換装置１００は、第１の実施の形態に係る光路切換装置２０（図５参照。）と同様に、受光素子３１、３２をそれぞれハーフミラー１０１に対して矢印２２ａ（図５参照。）で示す方向に配置し、光ファイバコリメータ２３、２４から出力された光の一部をそれぞれ矢印２２ａで示す方向に反射するようにハーフミラー１０１をプラットフォーム２２に対して傾けて固定しても良い。
【００８７】
（第６の実施の形態）
まず、第６の実施の形態に係る光通信システムの構成について説明する。
【００８８】
なお、本実施の形態に係る光通信システムの構成のうち、第５の実施の形態に係る光通信システムの構成と同様な構成については、第５の実施の形態に係る光通信システムの構成と同一の符号を付して詳細な説明を省略する。
【００８９】
本実施の形態に係る光通信システムの構成は、図１２に示す機械式の光路切換装置１２０を光路切換装置１００（図１１参照。）に代えて第５の実施の形態に係る光通信システムが備えた構成と同様である。
【００９０】
光路切換装置１２０の構成は、入射光の一部（例えば５％）を反射して残りを透過させるハーフミラー１２１ａが膜によって形成されたビームスプリッタ１２１をハーフミラー１０１（図１１参照。）に代えて光路切換装置１００が備えた構成と同様である。
【００９１】
ビームスプリッタ１２１は、プラットフォーム２２に固定されている。
【００９２】
本実施の形態に係る光通信システムの動作は、第５の実施の形態に係る光通信システムの動作とほぼ同様であるので、詳細な説明を省略する。
【００９３】
光路切換装置１２０内の光は、光ファイバコリメータ２３に接続された回線に障害が生じていないと制御装置１４が判断しているときに図１２（ａ）に点線の矢線で示すように進行し、光ファイバコリメータ２３に接続された回線に障害が生じたと制御装置１４が判断したときに図１２（ｂ）に点線の矢線で示すように進行する。
【００９４】
以上に説明したように、光路切換装置１２０は、光路切換部品である平行プリズム２６の位置より光の経路における上流の光を検出する位置に受光素子３１、３２が配置されて従来より上流の光を検出するので、光信号の検出の信頼性を従来より向上することができる。
【００９５】
また、光路切換装置１２０は、第５の実施の形態に係る光路切換装置１００（図１１参照。）のように薄いハーフミラー１０１（図１１参照。）ではなく、プラットフォーム２２への設置面積が大きいビームスプリッタ１２１を備えているので、プラットフォーム２２に対するハーフミラー１２１ａの固定作業を容易化することができるとともに、プラットフォーム２２に対するハーフミラー１２１ａの傾きを微調整する必要がない。また、光路切換装置１２０は、光路切換装置１００のように薄いハーフミラー１０１ではなく、プラットフォーム２２への設置面積が大きいビームスプリッタ１２１を備えているので、時間の経過とともにプラットフォーム２２に対してハーフミラー１２１ａが傾いてくることを防止することができ、光信号の検出の信頼性を長期間維持することができる。
【００９６】
（第７の実施の形態）
まず、第７の実施の形態に係る光通信システムの構成について説明する。
【００９７】
なお、本実施の形態に係る光通信システムの構成のうち、第６の実施の形態に係る光通信システムの構成と同様な構成については、第６の実施の形態に係る光通信システムの構成と同一の符号を付して詳細な説明を省略する。
【００９８】
本実施の形態に係る光通信システムの構成は、図１３に示す機械式の光路切換装置１４０を光路切換装置１２０（図１２参照。）に代えて第６の実施の形態に係る光通信システムが備えた構成と同様である。
【００９９】
光路切換装置１４０の構成は、光路切換装置１２０において受光素子３１、３２をビームスプリッタ１２１に直接固定した構成と同様である。
【０１００】
次に、本実施の形態に係る光通信システムの動作について説明する。
【０１０１】
本実施の形態に係る光通信システムの動作は、第６の実施の形態に係る光通信システムの動作とほぼ同様であるので、詳細な説明を省略する。
【０１０２】
光路切換装置１４０内の光は、光ファイバコリメータ２３に接続された回線に障害が生じていないと制御装置１４が判断しているときに図１３（ａ）に点線の矢線で示すように進行し、光ファイバコリメータ２３に接続された回線に障害が生じたと制御装置１４が判断したときに図１３（ｂ）に点線の矢線で示すように進行する。
【０１０３】
以上に説明したように、光路切換装置１４０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１０４】
また、光路切換装置１４０は、受光素子３１、３２がビームスプリッタ１２１に直接固定されているので、受光素子３１、３２が予めビームスプリッタ１２１に固定されてからビームスプリッタ１２１がプラットフォーム２２に固定されるようにすれば、ビームスプリッタ１２１がプラットフォーム２２に固定されるときに、受光素子３１、３２とビームスプリッタ１２１との間の光軸の調整作業を省略することができ、組立作業を容易化することができる。
【０１０５】
（第８の実施の形態）
まず、第８の実施の形態に係る光通信システムの構成について説明する。
【０１０６】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１０７】
本実施の形態に係る光通信システムの構成は、図１４に示す機械式の光路切換装置１６０を光路切換装置２０（図３参照。）に代えて光通信システム１０が備えた構成と同様である。
【０１０８】
光路切換装置１６０の構成は、入射光の一部（例えば５％）を反射して残りを透過させるハーフミラー１６１、１６２を反射ミラー２９、３０（図３参照。）に代えて光路切換装置２０が備え、受光素子３１、３２の固定位置が変更された構成と同様である。
【０１０９】
ハーフミラー１６１、１６２は、それぞれ光ファイバ２３ａ、２４ａ中に固定されている。受光素子３２は、プラットフォーム２２に固定されている。受光素子３１は、受光素子３２より矢印２２ｂ（図２参照。）で示す方向側の位置で筐体２１に固定されている。なお、ハーフミラー１６１は、反射光が光ファイバコリメータ２４に妨げられずに受光素子３１に到達するように、傾いて光ファイバ２３ａ中に固定されている。
【０１１０】
次に、本実施の形態に係る光通信システムの動作について説明する。
【０１１１】
本実施の形態に係る光通信システムの動作は、第１の実施の形態に係る光通信システム１０（図１参照。）の動作とほぼ同様であるので、詳細な説明を省略する。
【０１１２】
光路切換装置１６０内の光は、光ファイバコリメータ２３に接続された回線に障害が生じていないと制御装置１４が判断しているときに図１４（ａ）に点線の矢線で示すように進行し、光ファイバコリメータ２３に接続された回線に障害が生じたと制御装置１４が判断したときに図１４（ｂ）に点線の矢線で示すように進行する。
【０１１３】
以上に説明したように、光路切換装置１６０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１１４】
また、光路切換装置１６０は、ハーフミラー１６１、１６２がそれぞれ光ファイバ２３ａ、２４ａ中に固定されているので、小型化することができるとともに、容易に製造されることができる。
【０１１５】
なお、ハーフミラー１６１、１６２は、図４に示す反射ミラー２９のように、光ファイバ２３ａ、２４ａ内を進行する光のうち幅方向の一部のみが入射される位置に配置されるようになっていれば、入射光の全部を反射する反射ミラーであっても良い。
【０１１６】
（第９の実施の形態）
まず、第９の実施の形態に係る光通信システムの構成について説明する。
【０１１７】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１１８】
本実施の形態に係る光通信システムの構成は、図１５に示す機械式の光路切換装置１８０を光路切換装置２０（図３参照。）に代えて光通信システム１０が備えた構成と同様である。
【０１１９】
光路切換装置１８０の構成は、入射光の全部を反射する反射ミラー１８１、１８２を反射ミラー２９、３０（図３参照。）に代えて光路切換装置２０が備え、受光素子３１、３２の固定位置が変更された構成と同様である。
【０１２０】
反射ミラー１８１は、光ファイバ２３ａと、レンズ２３ｂとの間に挿入されてプラットフォーム２２に固定されている。反射ミラー１８２は、光ファイバ２４ａと、レンズ２４ｂとの間に挿入されてプラットフォーム２２に固定されている。受光素子３１は、受光素子３２に対して矢印２２ｂ（図２参照。）で示す方向側の位置で筐体２１に固定されている。受光素子３２は、プラットフォーム２２に固定されている。なお、反射ミラー１８１は、反射光が光ファイバコリメータ２４に妨げられずに受光素子３１に到達するように、傾いてプラットフォーム２２に固定されている。
【０１２１】
反射ミラー１８２は、図１６に示すように、光ファイバ２４ａから出力された光２４Ａのうち幅方向の一部（以下、例として５％として説明する。）のみが入射される位置に配置されることによって、光ファイバ２４ａから出力された光２４Ａの５％を反射するようになっている。反射ミラー１８２について説明したが、反射ミラー１８１についても同様である。
【０１２２】
次に、本実施の形態に係る光通信システムの動作について説明する。
【０１２３】
本実施の形態に係る光通信システムの動作は、第１の実施の形態に係る光通信システム１０（図１参照。）の動作とほぼ同様であるので、詳細な説明を省略する。
【０１２４】
光路切換装置１８０内の光は、光ファイバコリメータ２３に接続された回線に障害が生じていないと制御装置１４が判断しているときに図１５（ａ）に点線の矢線で示すように進行し、光ファイバコリメータ２３に接続された回線に障害が生じたと制御装置１４が判断したときに図１５（ｂ）に点線の矢線で示すように進行する。
【０１２５】
以上に説明したように、光路切換装置１８０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１２６】
また、光路切換装置１８０は、反射ミラー１８１が光ファイバ２３ａとレンズ２３ｂとの間に挿入され、反射ミラー１８２が光ファイバ２４ａとレンズ２４ｂとの間に挿入されているので、小型化することができる。
【０１２７】
なお、反射ミラー１８１、１８２は、入射光の一部（例えば５％）を反射して残りを透過させるハーフミラーであれば、光ファイバ２３ａ、２４ａから出力された光の全部が入射される位置に配置されていても良い。
【０１２８】
（第１０の実施の形態）
まず、第１０の実施の形態に係る光通信システムの構成について説明する。
【０１２９】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１３０】
本実施の形態に係る光通信システムの構成は、図１７に示す機械式の光路切換装置２００を光路切換装置２０（図３参照。）に代えて光通信システム１０が備えた構成と同様である。
【０１３１】
光路切換装置２００の構成は、入射光の全部を反射する反射ミラー２０１、２０２を反射ミラー２９、３０（図３参照。）に代えて光路切換装置２０が備え、受光素子３１、３２の固定位置が変更された構成と同様である。
【０１３２】
反射ミラー２０１、２０２は、それぞれレンズ２３ｂ、２４ｂ中に固定されている。受光素子３１は、受光素子３２に対して矢印２２ｂ（図２参照。）で示す方向側の位置で筐体２１に固定されている。受光素子３２は、プラットフォーム２２に固定されている。なお、反射ミラー２０１は、反射光が光ファイバコリメータ２４に妨げられずに受光素子３１に到達するように、傾いてレンズ２３ｂに固定されている。
【０１３３】
反射ミラー２０２は、図１８に示すように、光ファイバ２４ａから出力された光２４Ａのうち幅方向の一部（以下、例として５％として説明する。）のみが入射される位置に配置されることによって、光ファイバ２４ａから出力された光２４Ａの５％を反射するようになっている。反射ミラー２０２について説明したが、反射ミラー２０１についても同様である。
【０１３４】
次に、本実施の形態に係る光通信システムの動作について説明する。
【０１３５】
本実施の形態に係る光通信システムの動作は、第１の実施の形態に係る光通信システム１０（図１参照。）の動作とほぼ同様であるので、詳細な説明を省略する。
【０１３６】
光路切換装置２００内の光は、光ファイバコリメータ２３に接続された回線に障害が生じていないと制御装置１４が判断しているときに図１７（ａ）に点線の矢線で示すように進行し、光ファイバコリメータ２３に接続された回線に障害が生じたと制御装置１４が判断したときに図１７（ｂ）に点線の矢線で示すように進行する。
【０１３７】
以上に説明したように、光路切換装置２００は、光路切換部品である平行プリズム２６の位置より光の経路における上流の光を検出する位置に受光素子３１、３２が配置されて従来より上流の光を検出するので、光信号の検出の信頼性を従来より向上することができる。
【０１３８】
また、光路切換装置２００は、反射ミラー２０１、２０２がそれぞれレンズ２３ｂ、２４ｂ中に固定されているので、小型化することができるとともに、容易に製造されることができる。
【０１３９】
なお、反射ミラー２０１、２０２は、入射光の一部（例えば５％）を反射して残りを透過させるハーフミラーであれば、光ファイバ２３ａ、２４ａから出力された光の全部が入射される位置でそれぞれレンズ２３ｂ、２４ｂ中に固定されていても良い。
【０１４０】
（第１１の実施の形態）
まず、第１１の実施の形態に係る光通信システムの構成について説明する。
【０１４１】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１４２】
本実施の形態に係る光通信システムの構成は、図１９に示す機械式の光路切換装置２２０を光路切換装置２０（図３参照。）に代えて光通信システム１０が備えた構成と同様である。
【０１４３】
光路切換装置２２０の構成は、光分岐装置１３（図１参照。）によって分岐された２つの回線の一方からの光信号及び他方からの光信号が入力される１つの光ファイバコリメータ２２１を光ファイバコリメータ２３、２４（図３参照。）に代えて光路切換装置２０が備え、プラットフォーム２２に対する反射ミラー３０及び受光素子３２の固定位置が変更された構成と同様である。
【０１４４】
光ファイバコリメータ２２１は、プラットフォーム２２に固定されている。
【０１４５】
光ファイバコリメータ２２１は、光分岐装置１３によって分岐された２つの回線の一方からの光信号が入力される光ファイバ２２１ａと、光分岐装置１３によって分岐された２つの回線の他方からの光信号が入力される光ファイバ２２１ｂと、レンズ２２１ｃとから構成されている。
【０１４６】
反射ミラー２９、３０は、第１の実施の形態と同様に、光ファイバコリメータ２２１から出力された光のうち幅方向の一部（以下、例として５％として説明する。）のみが入射される位置に配置されることによって、光ファイバコリメータ２２１から出力された光の５％を反射するようになっている。
【０１４７】
次に、本実施の形態に係る光通信システムの動作について説明する。
【０１４８】
本実施の形態に係る光通信システムの動作は、第１の実施の形態に係る光通信システム１０（図１参照。）の動作とほぼ同様であるので、詳細な説明を省略する。
【０１４９】
光路切換装置２２０内の光は、光ファイバ２２１ａに接続された回線に障害が生じていないと制御装置１４が判断しているときに図１９（ａ）に点線の矢線で示すように進行し、光ファイバ２２１ｂに接続された回線に障害が生じたと制御装置１４が判断したときに図１９（ｂ）に点線の矢線で示すように進行する。
【０１５０】
以上に説明したように、光路切換装置２２０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１５１】
また、光路切換装置２２０は、第１の実施の形態に係る光路切換装置２０（図３参照。）のように２つの光ファイバコリメータ２３、２４（図３参照。）ではなく、１つの光ファイバコリメータ２２１を備えているので、プラットフォーム２２への光学部品の固定作業の工程数を少なくすることができる。
【０１５２】
なお、光路切換装置２２０は、第１の実施の形態に係る光路切換装置２０（図５参照。）と同様に、受光素子３１、３２をそれぞれ反射ミラー２９、３０に対して矢印２２ａ（図５参照。）で示す方向に配置し、光ファイバコリメータ２２１から出力された光の一部をそれぞれ矢印２２ａで示す方向に反射するように反射ミラー２９、３０をプラットフォーム２２に対して傾けて固定しても良い。
【０１５３】
また、反射ミラー２９、３０は、入射光の一部（例えば５％）を反射して残りを透過させるハーフミラーであれば、光ファイバコリメータ２２１から出力された光の全部が入射される位置に配置されていても良い。
【０１５４】
（第１２の実施の形態）
まず、第１２の実施の形態に係る光通信システムの構成について説明する。
【０１５５】
なお、本実施の形態に係る光通信システムの構成のうち、第１１の実施の形態に係る光通信システムの構成と同様な構成については、第１１の実施の形態に係る光通信システムの構成と同一の符号を付して詳細な説明を省略する。
【０１５６】
本実施の形態に係る光通信システムの構成は、図２０に示す機械式の光路切換装置２４０を光路切換装置２２０（図１９参照。）に代えて第１１の実施の形態に係る光通信システムが備えた構成と同様である。
【０１５７】
光路切換装置２４０の構成は、入射光の全部を反射する反射ミラー２４１ａ、２４１ｂが膜によって形成されたプリズム２４１を反射ミラー２９、３０（図１９参照。）に代えて光路切換装置２２０が備えた構成と同様である。
【０１５８】
プリズム２４１は、プラットフォーム２２に固定されている。プリズム２４１は、図２１に示すように、光ファイバ２２１ａ（図２０参照。）を介して光ファイバコリメータ２２１（図２０参照。）から出力された光２２１Ａのうち幅方向の一部（以下、例として５％として説明する。）のみが反射ミラー２４１ａに入射されるとともに、光ファイバ２２１ｂ（図２０参照。）を介して光ファイバコリメータ２２１（図２０参照。）から出力された光２２１Ｂのうち幅方向の一部（以下、例として５％として説明する。）のみが反射ミラー２４１ｂに入射される位置に配置されることによって、光ファイバコリメータ２２１から出力された光２２１Ａ、２２１Ｂそれぞれの５％を反射するようになっている。
【０１５９】
次に、本実施の形態に係る光通信システムの動作について説明する。
【０１６０】
本実施の形態に係る光通信システムの動作は、第１１の実施の形態に係る光通信システムの動作とほぼ同様であるので、詳細な説明を省略する。
【０１６１】
光路切換装置２４０内の光は、光ファイバ２２１ａに接続された回線に障害が生じていないと制御装置１４が判断しているときに図２０（ａ）に点線の矢線で示すように進行し、光ファイバ２２１ｂに接続された回線に障害が生じたと制御装置１４が判断したときに図２０（ｂ）に点線の矢線で示すように進行する。
【０１６２】
以上に説明したように、光路切換装置２４０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１６３】
また、光路切換装置２４０は、光ファイバ２２１ａ、２２１ｂがともにレンズ２２１ｃに連結されており、光ファイバ２２１ａと光ファイバ２２１ｂとの間隔が一定であるので、光ファイバコリメータ２２１及びプリズム２４１を図２１に示す位置関係を満たすように容易にプラットフォーム２２に固定することができる。
【０１６４】
なお、プリズム２４１は、反射ミラー２４１ａ、２４１ｂが入射光の一部（例えば５％）を反射して残りを透過させるハーフミラーであれば、光ファイバコリメータ２２１から出力された光の全部が反射ミラー２４１ａ、２４１ｂに入射される大きさであっても良い。
【０１６５】
（第１３の実施の形態）
まず、第１３の実施の形態に係る光通信システムの構成について説明する。
【０１６６】
なお、本実施の形態に係る光通信システムの構成のうち、第１１の実施の形態に係る光通信システムの構成と同様な構成については、第１１の実施の形態に係る光通信システムの構成と同一の符号を付して詳細な説明を省略する。
【０１６７】
本実施の形態に係る光通信システムの構成は、図２２に示す機械式の光路切換装置２６０を光路切換装置２２０（図１９参照。）に代えて第１１の実施の形態に係る光通信システムが備えた構成と同様である。
【０１６８】
光路切換装置２６０の構成は、入射光の一部（例えば５％）を反射して残りを透過させるハーフミラー２６１ａ、２６１ｂが膜によって形成された平行プリズム２６１を反射ミラー２９、３０（図１９参照。）に代えて光路切換装置２２０が備えた構成と同様である。
【０１６９】
平行プリズム２６１は、プラットフォーム２２に固定されている。
【０１７０】
次に、本実施の形態に係る光通信システムの動作について説明する。
【０１７１】
本実施の形態に係る光通信システムの動作は、第１１の実施の形態に係る光通信システムの動作とほぼ同様であるので、詳細な説明を省略する。
【０１７２】
光路切換装置２６０内の光は、光ファイバ２２１ａに接続された回線に障害が生じていないと制御装置１４が判断しているときに図２２（ａ）に点線の矢線で示すように進行し、光ファイバ２２１ｂに接続された回線に障害が生じたと制御装置１４が判断したときに図２２（ｂ）に点線の矢線で示すように進行する。
【０１７３】
以上に説明したように、光路切換装置２６０は、光路切換部品である光路切換部品である平行プリズム２６の位置より光の経路における上流の光を検出する位置に受光素子３１、３２が配置されて従来より上流の光を検出するので、光信号の検出の信頼性を従来より向上することができる。
【０１７４】
また、光路切換装置２６０は、光ファイバ２２１ａを介して光ファイバコリメータ２２１から出力される光の進行方向に対して、光ファイバ２２１ｂを介して光ファイバコリメータ２２１から出力される光の進行方向が多少傾いていても、光ファイバ２２１ａを介して光ファイバコリメータ２２１から出力される光の進行方向と、光ファイバ２２１ｂを介して光ファイバコリメータ２２１から出力される光の進行方向とを平行プリズム２６１によって略平行に補正することができる。
【０１７５】
（第１４の実施の形態）
まず、第１４の実施の形態に係る光通信システムの構成について説明する。
【０１７６】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１７７】
本実施の形態に係る光通信システムの構成は、図２３に示す機械式の光路切換装置２８０を光路切換装置２０（図３参照。）に代えて光通信システム１０が備えた構成と同様である。
【０１７８】
光路切換装置２８０の構成は、反射ミラー２９、３０（図３参照。）を光路切換装置２０から取り除き、プラットフォーム２２に対する受光素子３１、３２の位置を変更した構成と同様である。
【０１７９】
受光素子３１は、図２４に示すように、光ファイバコリメータ２３から出力された光２３Ａのうち幅方向の一部（以下、例として５％として説明する。）のみが入射される位置に配置されることによって、光ファイバコリメータ２３から出力された光２３Ａの５％を受光するようになっている。同様に、受光素子３２は、光ファイバコリメータ２４から出力された光のうち幅方向の一部（以下、例として５％として説明する。）のみが入射される位置に配置されることによって、光ファイバコリメータ２４から出力された光の５％を受光するようになっている。
【０１８０】
次に、本実施の形態に係る光通信システムの動作について説明する。
【０１８１】
本実施の形態に係る光通信システムの動作は、第１の実施の形態に係る光通信システム１０（図１参照。）の動作とほぼ同様であるので、詳細な説明を省略する。
【０１８２】
光路切換装置２８０内の光は、光ファイバコリメータ２３に接続された回線に障害が生じていないと制御装置１４が判断しているときに図２３（ａ）に点線の矢線で示すように進行し、光ファイバコリメータ２３に接続された回線に障害が生じたと制御装置１４が判断したときに図２３（ｂ）に点線の矢線で示すように進行する。
【０１８３】
以上に説明したように、光路切換装置２８０は、光路切換部品である平行プリズム２６の位置より光の経路における上流の光を検出する位置に受光素子３１、３２が配置されて従来より上流の光を検出するので、光信号の検出の信頼性を従来より向上することができる。
【０１８４】
また、光路切換装置２８０は、第１の実施の形態に係る光路切換装置２０（図３参照。）のように反射ミラー２９、３０（図３参照。）を設ける必要がないので、光路切換装置２０と比較して部品点数が少なく、小型化することができる。
【０１８５】
また、光路切換装置２８０は、光ファイバコリメータ２３、２４から出力された光信号をそれぞれ受光素子３１、３２によって直接受光するので、偏波依存性損失を少なくすることができる。
【０１８６】
（第１５の実施の形態）
まず、第１５の実施の形態に係る光通信システムの構成について説明する。
【０１８７】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０１８８】
本実施の形態に係る光通信システムの構成は、図２５に示す機械式の光路切換装置３００を光路切換装置２０（図３参照。）に代えて光通信システム１０が備えた構成と同様である。
【０１８９】
光路切換装置３００の構成は、光の進行方向を変更する直角プリズム３０１と、光を検出する光検出部品としての受光素子３０２、３０３、３０４とを、直角プリズム２８（図３参照。）、反射ミラー２９、３０（図３参照。）、受光素子３１、３２（図３参照。）及び光吸収体３３、３４（図３参照。）に代えて光路切換装置２０が備えた構成と同様である。
【０１９０】
直角プリズム３０１及び受光素子３０２〜３０４は、プラットフォーム２２に固定されている。
【０１９１】
直角プリズム３０１は、入射光の一部（例えば５％）を反射して残りを透過させるハーフミラー３０１ａと、入射光の全部を反射する反射ミラー３０１ｂ、３０１ｃとが膜によって形成されている。
【０１９２】
次に、本実施の形態に係る光通信システムの動作について説明する。
【０１９３】
制御装置１４は、光ファイバコリメータ２３に接続された回線に障害が生じていないと判断しているとき、光ファイバコリメータ２３から出射された光の量を受光素子３０２からの電気信号に基づいて算出する。そして、制御装置１４は、光ファイバコリメータ２３から出射された光の量が所定の範囲内の量であるとき、光ファイバコリメータ２３に接続された回線に障害が生じていないと判断し、平行プリズム２６が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて平行プリズム２６を移動範囲のうち矢印２２ａで示す方向の端に待機させる。
【０１９４】
平行プリズム２６が移動範囲のうち矢印２２ａで示す方向の端に位置するとき、光路切換装置３００内の光は図２５（ａ）に点線の矢線で示すように進行する。即ち、光ファイバコリメータ２３から出力された光は、平行プリズム２６に対して矢印２２ｂ（図２参照。）で示す方向側を通過した後、一部が直角プリズム３０１のハーフミラー３０１ａによって反射されて受光素子３０２によって検出されるとともに、残りが直角プリズム３０１の反射ミラー３０１ｂ、３０１ｃによって進行方向が変更されて光ファイバコリメータ２５に入力される。光ファイバコリメータ２４から出力された光は、平行プリズム２６に対して矢印２２ｂで示す方向側を通過した後、受光素子３０３によって検出される。
【０１９５】
したがって、光ファイバコリメータ２３に接続された回線に障害が生じていないと制御装置１４が判断したとき、光ファイバコリメータ２３に接続された回線を通った光信号が光受信装置１２に受信される。
【０１９６】
なお、制御装置１４は、光ファイバコリメータ２３に接続された回線に障害が生じていないと判断しているとき、光受信装置１２に接続されていない回線、即ち光ファイバコリメータ２４に接続された回線に障害が生じているか否かについても受光素子３０３からの電気信号に基づいて常時監視している。ここで、受光素子３０３は、光ファイバコリメータ２４から出力された光を直接受光するので、光ファイバコリメータ２４から出力された光を大光量で検出することができるため、検出信号のＳ／Ｎ比（信号対ノイズ比）が向上し、安定した光量検出ができる。
【０１９７】
一方、制御装置１４は、光ファイバコリメータ２３から出射された光の量が所定の範囲内の量ではないとき、光ファイバコリメータ２３に接続された回線に障害が生じていると判断し、平行プリズム２６が移動範囲のうち矢印２２ｂで示す方向の端に移動するようにアクチュエータ２７に制御信号を送信する。したがって、アクチュエータ２７は、制御装置１４からの制御信号に応じて平行プリズム２６を移動範囲のうち矢印２２ｂで示す方向の端に移動させる。
【０１９８】
平行プリズム２６が移動範囲のうち矢印２２ｂで示す方向の端に位置するとき、光路切換装置３００内の光は図２５（ｂ）に点線の矢線で示すように進行する。即ち、光ファイバコリメータ２３から出力された光は、平行プリズム２６の反射ミラー２６ｂで全反射されて、受光素子３０４によって検出される。光ファイバコリメータ２４から出力された光は、平行プリズム２６の反射ミラー２６ａ、２６ｂによって進行方向が変更された後、一部が直角プリズム３０１のハーフミラー３０１ａによって反射されて受光素子３０２によって検出されるとともに、残りが直角プリズム３０１の反射ミラー３０１ｂ、３０１ｃによって進行方向が変更されて光ファイバコリメータ２５に入力される。
【０１９９】
したがって、光ファイバコリメータ２３に接続された回線に障害が生じていると制御装置１４が判断したとき、光ファイバコリメータ２４に接続された回線を通った光信号が光受信装置１２に受信される。
【０２００】
なお、制御装置１４は、光ファイバコリメータ２３に接続された回線に障害が生じていると判断しているとき、光受信装置１２に接続されている回線、即ち光ファイバコリメータ２４に接続された回線に障害が生じているか否かについて受光素子３０２からの電気信号に基づいて常時監視している。
【０２０１】
また、制御装置１４は、光ファイバコリメータ２３に接続された回線に障害が生じていると判断しているとき、光受信装置１２に接続されていない回線、即ち光ファイバコリメータ２３に接続された回線に障害が生じているか否かについても受光素子３０４からの電気信号に基づいて常時監視している。ここで、受光素子３０４は、光ファイバコリメータ２３から出力されて平行プリズム２６の反射ミラー２６ｂで全反射した光を受光するので、光ファイバコリメータ２３から出力された光を大光量で検出することができるため、検出信号のＳ／Ｎ比が向上し、安定した光量検出ができる。
【０２０２】
以上に説明したように、光路切換装置３００は、光路切換部品である平行プリズム２６によって反射された光を検出する位置に受光素子３０４が配置されて従来より上流の光を検出するので、光信号の検出の信頼性を従来より向上することができる。
【０２０３】
（第１６の実施の形態）
まず、第１６の実施の形態に係る光通信システムの構成について説明する。
【０２０４】
なお、本実施の形態に係る光通信システムの構成のうち、第１１の実施の形態に係る光通信システムの構成と同様な構成については、第１１の実施の形態に係る光通信システムの構成と同一の符号を付して詳細な説明を省略する。
【０２０５】
本実施の形態に係る光通信システムの構成は、図２６に示す機械式の光路切換装置３２０を光路切換装置２２０（図１９参照。）に代えて第１１の実施の形態に係る光通信システムが備えた構成と同様である。
【０２０６】
光路切換装置３２０の構成は、矢印２２ａで示す方向及び矢印２２ｂで示す方向における自身の位置の変化、即ち、自身の状態の変化によって光の経路を切り換える光路切換部品としての平行プリズム３２１と、光の進行方向を変更する直角プリズム３２２と、光を検出する光検出部品としての受光素子３２３、３２４とを、平行プリズム２６（図１９参照。）、直角プリズム２８（図１９参照。）、反射ミラー２９、３０（図１９参照。）、受光素子３１、３２（図１９参照。）及び光吸収体３３、３４（図１９参照。）に代えて光路切換装置２２０が備えた構成と同様である。
【０２０７】
直角プリズム３２２及び受光素子３２３、３２４は、プラットフォーム２２に固定されている。
【０２０８】
平行プリズム３２１は、矢印２２ａ（図２参照。）で示す方向及び矢印２２ｂ（図２参照。）で示す方向にアクチュエータ２７（図２参照。）によって移動させられるようになっている。
【０２０９】
直角プリズム３２２は、入射光の一部（以下、例として５％として説明する。）を透過して残り９５％を反射するハーフミラー３２２ａと、入射光の全部を反射する反射ミラー３２２ｂとが形成されている。
【０２１０】
次に、本実施の形態に係る光通信システムの動作について説明する。
【０２１１】
制御装置１４は、光ファイバ２２１ａに接続された回線に障害が生じていないと判断しているとき、光ファイバ２２１ａを介して光ファイバコリメータ２２１から出射された光の量を受光素子３２３からの電気信号に基づいて算出する。そして、制御装置１４は、光ファイバ２２１ａを介して光ファイバコリメータ２２１から出射された光の量が所定の範囲内の量であるとき、光ファイバ２２１ａに接続された回線に障害が生じていないと判断し、平行プリズム３２１が移動範囲のうち矢印２２ａ（図２参照。）で示す方向の端に待機するようにアクチュエータ２７（図２参照。）に制御信号を送信する。したがって、アクチュエータ２７は、制御装置１４からの制御信号に応じて平行プリズム３２１を移動範囲のうち矢印２２ａで示す方向の端に待機させる。
【０２１２】
平行プリズム３２１が移動範囲のうち矢印２２ａで示す方向の端に位置するとき、光路切換装置３２０内の光は図２６（ａ）に点線の矢線で示すように進行する。即ち、光ファイバ２２１ａを介して光ファイバコリメータ２２１から出力された光は、平行プリズム３２１に対して矢印２２ｂ（図２参照。）で示す方向側を通過した後、５％が直角プリズム３２２のハーフミラー３２２ａを透過して受光素子３２３によって検出されるとともに、残り９５％が直角プリズム３２２のハーフミラー３２２ａ、３２２ｂによって進行方向が変更されて光ファイバコリメータ２５に入力される。光ファイバ２２１ｂを介して光ファイバコリメータ２２１から出力された光は、平行プリズム３２１に対して矢印２２ｂで示す方向側を通過した後、受光素子３２４によって検出される。
【０２１３】
したがって、光ファイバ２２１ａに接続された回線に障害が生じていないと制御装置１４が判断したとき、光ファイバ２２１ａに接続された回線を通った光信号が光受信装置１２に受信される。
【０２１４】
なお、制御装置１４は、光ファイバ２２１ａに接続された回線に障害が生じていないと判断しているとき、光受信装置１２に接続されていない回線、即ち光ファイバ２２１ｂに接続された回線に障害が生じているか否かについても受光素子３２４からの電気信号に基づいて常時監視している。ここで、受光素子３２４は、光ファイバ２２１ｂを介して光ファイバコリメータ２２１から出力された光を直接受光するので、光ファイバ２２１ｂを介して光ファイバコリメータ２２１から出力された光を大光量で検出することができるため、検出信号のＳ／Ｎ比が向上し、安定した光量検出ができる。
【０２１５】
一方、制御装置１４は、光ファイバ２２１ａを介して光ファイバコリメータ２２１から出射された光の量が所定の範囲内の量ではないとき、光ファイバ２２１ａに接続された回線に障害が生じていると判断し、平行プリズム３２１が移動範囲のうち矢印２２ｂで示す方向の端に移動するようにアクチュエータ２７に制御信号を送信する。したがって、アクチュエータ２７は、制御装置１４からの制御信号に応じて平行プリズム３２１を移動範囲のうち矢印２２ｂで示す方向の端に移動させる。
【０２１６】
平行プリズム３２１が移動範囲のうち矢印２２ｂで示す方向の端に位置するとき、光路切換装置３２０内の光は図２６（ｂ）に点線の矢線で示すように進行する。即ち、光ファイバ２２１ａを介して光ファイバコリメータ２２１から出力された光は、平行プリズム３２１によって経路が変更されて、受光素子３２４によって検出される。光ファイバ２２１ｂを介して光ファイバコリメータ２２１から出力された光は、平行プリズム３２１によって経路が変更された後、５％が直角プリズム３２２のハーフミラー３２２ａを透過して受光素子３２３によって検出されるとともに、残り９５％が直角プリズム３２２のハーフミラー３２２ａ、３２２ｂによって進行方向が変更されて光ファイバコリメータ２５に入力される。
【０２１７】
したがって、光ファイバ２２１ａに接続された回線に障害が生じていると制御装置１４が判断したとき、光ファイバ２２１ｂに接続された回線を通った光信号が光受信装置１２に受信される。
【０２１８】
なお、制御装置１４は、光ファイバ２２１ａに接続された回線に障害が生じていると判断しているとき、光受信装置１２に接続されている回線、即ち光ファイバ２２１ｂに接続された回線に障害が生じているか否かについて受光素子３２３からの電気信号に基づいて常時監視している。
【０２１９】
また、制御装置１４は、光ファイバ２２１ａに接続された回線に障害が生じていると判断しているとき、光受信装置１２に接続されていない回線、即ち光ファイバ２２１ａに接続された回線に障害が生じているか否かについても受光素子３２４からの電気信号に基づいて常時監視している。ここで、受光素子３２４は、光ファイバ２２１ａを介して光ファイバコリメータ２２１から出力されて平行プリズム３２１を透過した光を他の光学部品を介さずに直接受光するので、光ファイバ２２１ａを介して光ファイバコリメータ２２１から出力された光を大光量で検出することができるため、検出信号のＳ／Ｎ比が向上し、安定した光量検出ができる。
【０２２０】
以上に説明したように、光路切換装置３２０は、光路切換部品である平行プリズム３２１を透過した光を他の光学部品を介さずに直接検出する位置に受光素子３２４が配置されて従来より上流の光を検出するので、光信号の検出の信頼性を従来より向上することができる。
【０２２１】
（第１７の実施の形態）
まず、第１７の実施の形態に係る光通信システムの構成について説明する。
【０２２２】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０２２３】
本実施の形態に係る光通信システムの構成は、図２７に示す液晶式の光路切換装置３４０を光路切換装置２０（図３参照。）に代えて光通信システム１０が備えた構成と同様である。
【０２２４】
光路切換装置３４０の構成は、電圧が加えられることによって光の偏光方向を変更する液晶偏光回転子３４１と、光を偏光させる偏光板３４２と、入射光の全部を反射する反射ミラー３４３と、偏光板３４２によって偏光された偏光方向の光を通して偏光板３４２によって偏光された偏光方向と直交する偏光方向の光を反射する偏光分離器３４４と、光を吸収する光吸収体３４５とを、平行プリズム２６（図３参照。）、アクチュエータ２７（図２参照。）、直角プリズム２８（図３参照。）、反射ミラー２９、３０（図３参照。）及び光吸収体３３、３４（図３参照。）に代えて光路切換装置２０が備え、プラットフォーム２２に対する光ファイバコリメータ２３〜２５及び受光素子３１、３２の固定位置が変更された構成と同様である。
【０２２５】
液晶偏光回転子３４１、偏光板３４２、反射ミラー３４３、偏光分離器３４４及び光吸収体３４５は、プラットフォーム２２に固定されている。
【０２２６】
液晶偏光回転子３４１は、ガラス板３４１ａと、ガラス板３４１ｂと、ガラス板３４１ａ及びガラス板３４１ｂの間に封入された液晶３４１ｃとを有している。なお、液晶偏光回転子３４１は、加えられる電圧に応じた自身の状態の変化によって光の経路を切り換えるようになっており、光路切換部品を構成している。
【０２２７】
偏光板３４２は、入射光の一部（以下、例として５％として説明する。）を反射して残り９５％を透過させるハーフミラー３４２ａが膜によって形成されている。
【０２２８】
次に、本実施の形態に係る光通信システムの動作について説明する。
【０２２９】
制御装置１４は、光ファイバコリメータ２３に接続された回線に障害が生じていないと判断しているとき、光ファイバコリメータ２３から出射された光の量を受光素子３１からの電気信号に基づいて算出する。そして、制御装置１４は、光ファイバコリメータ２３から出射された光の量が所定の範囲内の量であるとき、光ファイバコリメータ２３に接続された回線に障害が生じていないと判断し、液晶偏光回転子３４１に電圧を加えない。
【０２３０】
液晶偏光回転子３４１に電圧が加えられていないとき、光路切換装置３４０内の光は図２７（ａ）に点線の矢線で示すように進行する。
【０２３１】
即ち、光ファイバコリメータ２３から出力された光は、５％が偏光板３４２のハーフミラー３４２ａによって反射されて受光素子３１によって検出されるとともに、残り９５％がハーフミラー３４２ａを通過して偏光板３４２によって偏光される。偏光板３４２によって偏光された光は、電圧が加えられていない液晶偏光回転子３４１によって偏光方向が変更されず、偏光分離器３４４を通過して光ファイバコリメータ２５に入力される。
【０２３２】
光ファイバコリメータ２４から出力された光は、５％が偏光板３４２のハーフミラー３４２ａによって反射されて受光素子３２によって検出されるとともに、残り９５％がハーフミラー３４２ａを通過して偏光板３４２によって偏光される。偏光板３４２によって偏光された光は、電圧が加えられていない液晶偏光回転子３４１によって偏光方向が変更されず、反射ミラー３４３によって反射された後、偏光分離器３４４を通過して光吸収体３４５に吸収される。
【０２３３】
したがって、光ファイバコリメータ２３に接続された回線に障害が生じていないと制御装置１４が判断したとき、光ファイバコリメータ２３に接続された回線を通った光信号が光受信装置１２に受信される。
【０２３４】
一方、制御装置１４は、光ファイバコリメータ２３から出射された光の量が所定の範囲内の量ではないとき、光ファイバコリメータ２３に接続された回線に障害が生じていると判断し、液晶偏光回転子３４１に電圧を加える。
【０２３５】
液晶偏光回転子３４１に電圧が加えられているとき、光路切換装置３４０内の光は図２７（ｂ）に点線の矢線で示すように進行する。
【０２３６】
即ち、光ファイバコリメータ２３から出力された光は、５％が偏光板３４２のハーフミラー３４２ａによって反射されて受光素子３１によって検出されるとともに、残り９５％がハーフミラー３４２ａを通過して偏光板３４２によって偏光される。偏光板３４２によって偏光された光は、電圧が加えられている液晶偏光回転子３４１によって偏光方向が直交する方向に変更され、偏光分離器３４４によって反射されて光吸収体３４５に吸収される。
【０２３７】
光ファイバコリメータ２４から出力された光は、５％が偏光板３４２のハーフミラー３４２ａによって反射されて受光素子３２によって検出されるとともに、残り９５％がハーフミラー３４２ａを通過して偏光板３４２によって偏光される。偏光板３４２によって偏光された光は、電圧が加えられている液晶偏光回転子３４１によって偏光方向が直交する方向に変更され、反射ミラー３４３によって反射された後、偏光分離器３４４によって反射されて光ファイバコリメータ２５に入力される。
【０２３８】
したがって、光ファイバコリメータ２３に接続された回線に障害が生じていると制御装置１４が判断したとき、光ファイバコリメータ２４に接続された回線を通った光信号が光受信装置１２に受信される。
【０２３９】
なお、制御装置１４は、光ファイバコリメータ２４に接続された回線に障害が生じているか否かについても受光素子３２からの電気信号に基づいて常時監視している。
【０２４０】
以上に説明したように、光路切換装置３４０は、光路切換部品である液晶偏光回転子３４１の位置より光の経路における上流の光を検出する位置に受光素子３１、３２が配置されて従来より上流の光を検出するので、光信号の検出の信頼性を従来より向上することができる。
【０２４１】
なお、光路切換装置３４０は、偏光板３４２ではなく液晶偏光回転子３４１のガラス板３４１ａによって入射光の一部を反射するようにし、ガラス板３４１ａによって反射された光を受光素子３１、３２によって検出するようにしても良い。
【０２４２】
（第１８の実施の形態）
まず、第１８の実施の形態に係る光通信システムの構成について説明する。
【０２４３】
なお、本実施の形態に係る光通信システムの構成のうち、第１の実施の形態に係る光通信システム１０（図１参照。）の構成と同様な構成については、光通信システム１０の構成と同一の符号を付して詳細な説明を省略する。
【０２４４】
本実施の形態に係る光通信システムの構成は、図２８に示すＭＥＭＳ（Ｍｉｃｒｏ  Ｅｌｅｃｔｒｏ  Ｍｅｃｈａｎｉｃａｌ  Ｓｙｓｔｅｍｓ）の光路切換装置３６０を光路切換装置２０（図３参照。）に代えて光通信システム１０が備えた構成と同様である。
【０２４５】
光路切換装置３６０は、筐体３６１と、筐体３６１内に収納されて各種光学部品を搭載するプラットフォーム３６２と、光分岐装置１３（図１参照。）によって分岐された２つの回線の一方からの光信号が入力される光ファイバ３６３と、光分岐装置１３によって分岐された２つの回線の他方からの光信号が入力される光ファイバ３６４と、光受信装置１２（図１参照。）に受信される光信号が出力される光ファイバ３６５と、入射光の全部を反射する可動式反射ミラー３６６と、それぞれ光ファイバ３６３、３６４から出力された光の一部（以下、例として５％として説明する。）を反射して残り９５％を通過させるハーフミラー３６７、３６８と、光を検出する光検出部品としての受光素子３６９、３７０と、光を吸収する光吸収体３７１とを備えている。
【０２４６】
プラットフォーム３６２には、光ファイバ３６３〜３６５と、ハーフミラー３６７、３６８と、受光素子３６９、３７０と、光吸収体３７１とが固定されている。
【０２４７】
可動式反射ミラー３６６は、制御装置１４（図１参照。）からの制御信号に応じて、プラットフォーム３６２と直交する矢印３６２ａ（図２９参照。）で示す方向及び矢印３６２ａで示す方向とは逆向きの矢印３６２ｂ（図２９参照。）で示す方向における自身の位置、即ち、自身の状態を変化するようになっており、自身の状態の変化によって光の経路を切り換える光路切換部品を構成している。
【０２４８】
受光素子３６９、３７０は、可動式反射ミラー３６６の位置より光の経路における上流の光を検出する位置に配置されており、検出した光信号を電気信号に変換して制御装置１４に出力するようになっている。
【０２４９】
次に、本実施の形態に係る光通信システムの動作について説明する。
【０２５０】
制御装置１４は、光ファイバ３６３に接続された回線に障害が生じていないと判断しているとき、光ファイバ３６３から出射された光の量を受光素子３６９からの電気信号に基づいて算出する。そして、制御装置１４は、光ファイバ３６３から出射された光の量が所定の範囲内の量であるとき、光ファイバ３６３に接続された回線に障害が生じていないと判断し、可動式反射ミラー３６６が移動範囲のうち矢印３６２ａ（図２９参照。）で示す方向の端に待機するように可動式反射ミラー３６６に制御信号を送信する。したがって、可動式反射ミラー３６６は、制御装置１４からの制御信号に応じて移動範囲のうち矢印３６２ａで示す方向の端に待機する。
【０２５１】
可動式反射ミラー３６６が移動範囲のうち矢印３６２ａで示す方向の端に位置するとき、光路切換装置３６０内の光は図２８（ａ）に点線の矢線で示すように進行する。即ち、光ファイバ３６３から出力された光は、５％がハーフミラー３６７によって反射されて受光素子３６９によって検出されるとともに、残り９５％が可動式反射ミラー３６６に対して矢印３６２ｂ（図２９参照。）で示す方向側を通過して光ファイバ３６５に入力される。光ファイバ３６４から出力された光は、５％がハーフミラー３６８によって反射されて受光素子３７０によって検出されるとともに、残り９５％が可動式反射ミラー３６６に対して矢印３６２ｂで示す方向側を通過して光吸収体３７１に吸収される。
【０２５２】
したがって、光ファイバ３６３に接続された回線に障害が生じていないと制御装置１４が判断したとき、光ファイバ３６３に接続された回線を通った光信号が光受信装置１２に受信される。
【０２５３】
一方、制御装置１４は、光ファイバ３６３から出射された光の量が所定の範囲内の量ではないとき、光ファイバ３６３に接続された回線に障害が生じていると判断し、可動式反射ミラー３６６が移動範囲のうち矢印３６２ｂで示す方向の端に移動するように可動式反射ミラー３６６に制御信号を送信する。したがって、可動式反射ミラー３６６は、制御装置１４からの制御信号に応じて移動範囲のうち矢印３６２ｂで示す方向の端に移動する。
【０２５４】
可動式反射ミラー３６６が移動範囲のうち矢印３６２ｂで示す方向の端に位置するとき、光路切換装置３６０内の光は図２８（ｂ）に点線の矢線で示すように進行する。即ち、光ファイバ３６３から出力された光は、５％がハーフミラー３６７によって反射されて受光素子３６９によって検出されるとともに、残り９５％が可動式反射ミラー３６６で反射して光吸収体３７１に吸収される。光ファイバ３６４から出力された光は、５％がハーフミラー３６８によって反射されて受光素子３７０によって検出されるとともに、残り９５％が可動式反射ミラー３６６で反射して光ファイバ３６５に入力される。
【０２５５】
したがって、光ファイバ３６３に接続された回線に障害が生じていると制御装置１４が判断したとき、光ファイバ３６４に接続された回線を通った光信号が光受信装置１２に受信される。
【０２５６】
なお、制御装置１４は、受光素子３７０からの電気信号に基づいて、光ファイバ３６４に接続された回線に障害が生じているか否かについても常時監視している。
【０２５７】
以上に説明したように、光路切換装置３６０は、光路切換部品である可動式反射ミラー３６６の位置より光の経路における上流の光を検出する位置に受光素子３６９、３７０が配置されて従来より上流の光を検出するので、光信号の検出の信頼性を従来より向上することができる。
【０２５８】
また、光路切換装置３６０は、光ファイバ３６３〜３６５や可動式反射ミラー３６６等の各光学部品の基準面となる部材、即ち、光学定盤として機能するプラットフォーム３６２を備えているので、各光学部品の位置決め精度をサブミクロンレベルで実現することが可能であるとともに、周囲の温度や湿度が変化したときであっても各光学部品の位置関係を維持することができる。
【０２５９】
（第１９の実施の形態）
まず、第１９の実施の形態に係る光通信システムの構成について説明する。
【０２６０】
なお、本実施の形態に係る光通信システムの構成のうち、第１８の実施の形態に係る光通信システムの構成と同様な構成については、第１８の実施の形態に係る光通信システムの構成と同一の符号を付して詳細な説明を省略する。
【０２６１】
本実施の形態に係る光通信システムの構成は、図３０に示すＭＥＭＳの光路切換装置３８０を光路切換装置３６０（図２８参照。）に代えて第１８の実施の形態に係る光通信システムが備えた構成と同様である。
【０２６２】
光路切換装置３８０の構成は、入射光の一部（以下、例として９５％として説明する。）を反射して残り５％を通過させる可動式ハーフミラー３８１と、光を検出する光検出部品としての受光素子３８２、３８３、３８４とを、可動式反射ミラー３６６（図２８参照。）、ハーフミラー３６７、３６８（図２８参照。）、受光素子３６９、３７０（図２８参照。）及び光吸収体３７１（図２８参照。）に代えて光路切換装置３６０が備え、プラットフォーム３６２に対する光ファイバ３６３〜３６５の固定位置が変更された構成と同様である。
【０２６３】
受光素子３８２〜３８４は、プラットフォーム３６２に固定されている。
【０２６４】
可動式ハーフミラー３８１は、制御装置１４（図１参照。）からの制御信号に応じて、中央部に位置する軸３８１ａを中心に回動するようになっており、軸３８１ａを中心とした自身の回動、即ち、自身の状態の変化によって光の経路を切り換える光路切換部品を構成している。
【０２６５】
次に、本実施の形態に係る光通信システムの動作について説明する。
【０２６６】
制御装置１４は、光ファイバ３６３に接続された回線に障害が生じていないと判断しているとき、光ファイバ３６３から出射された光の量を受光素子３６９からの電気信号に基づいて算出する。ここで、可動式ハーフミラー３８１の反射率、受光素子３８２の受光量、受光素子３８４の受光量、光ファイバ３６３から出射された光の量をそれぞれＲ、ｐ１、ｐ２、Ｐとすると、Ｐは、「数２」によって算出可能である。
【数２】
2006251045.tif 000004
【０２６７】
そして、制御装置１４は、光ファイバ３６３から出射された光の量が所定の範囲内の量であると、光ファイバ３６３に接続された回線に障害が生じていないと判断し、可動式ハーフミラー３８１が図３０（ａ）に示す位置に待機するように可動式ハーフミラー３８１に制御信号を送信する。したがって、可動式ハーフミラー３８１は、制御装置１４からの制御信号に応じて図３０（ａ）に示す位置に待機する。
【０２６８】
可動式ハーフミラー３８１が図３０（ａ）に示す位置であるとき、光路切換装置３８０内の光は図３０（ａ）に点線の矢線で示すように進行する。即ち、光ファイバ３６３から出力された光は、９５％が可動式ハーフミラー３８１によって反射されて光ファイバ３６５に入力されるとともに、残り５％が可動式ハーフミラー３８１を通過して受光素子３８２によって検出される。光ファイバ３６４から出力された光は、９５％が可動式ハーフミラー３８１によって反射されて受光素子３８４によって検出されるとともに、残り５％が可動式ハーフミラー３８１を通過して受光素子３８２によって検出される。
【０２６９】
したがって、光ファイバ３６３に接続された回線に障害が生じていないと制御装置１４が判断したとき、光ファイバ３６３に接続された回線を通った光信号が光受信装置１２に受信される。
【０２７０】
なお、制御装置１４は、光ファイバ３６３に接続された回線に障害が生じていないと判断しているとき、光受信装置１２に接続されていない回線、即ち光ファイバ３６４に接続された回線に障害が生じているか否かについても受光素子３８４からの電気信号に基づいて常時監視している。
【０２７１】
一方、制御装置１４は、光ファイバ３６３から出射された光の量が所定の範囲内の量ではないとき、光ファイバ３６３に接続された回線に障害が生じていると判断し、可動式ハーフミラー３８１が図３０（ｂ）に示す位置になるように可動式ハーフミラー３８１に制御信号を送信する。したがって、可動式ハーフミラー３８１は、制御装置１４からの制御信号に応じて図３０（ｂ）に示す位置になる。
【０２７２】
可動式ハーフミラー３８１が図３０（ｂ）に示す位置であるとき、光路切換装置３８０内の光は図３０（ｂ）に点線の矢線で示すように進行する。即ち、光ファイバ３６３から出力された光は、９５％が可動式ハーフミラー３８１で反射して受光素子３８３によって検出されるとともに、残り５％が可動式ハーフミラー３８１を通過して受光素子３８２によって検出される。一方、光ファイバ３６４から出力された光は、９５％が可動式ハーフミラー３８１によって反射されて光ファイバ３６５に入力されるとともに、残り５％が可動式ハーフミラー３８１を通過して受光素子３８２によって検出される。
【０２７３】
したがって、光ファイバ３６３に接続された回線に障害が生じていると制御装置１４が判断したとき、光ファイバ３６４に接続された回線を通った光信号が光受信装置１２に受信される。
【０２７４】
なお、制御装置１４は、光ファイバ３６３に接続された回線に障害が生じていると判断しているとき、光受信装置１２に接続されている回線、即ち光ファイバ３６４に接続された回線に障害が生じているか否かについて受光素子３８２からの電気信号及び受光素子３８３からの電気信号に基づいて常時監視している。また、制御装置１４は、光ファイバ３６３に接続された回線に障害が生じていると判断しているとき、光受信装置１２に接続されていない回線、即ち光ファイバ３６３に接続された回線に障害が生じているか否かについても受光素子３８３からの電気信号に基づいて常時監視している。
【０２７５】
以上に説明したように、光路切換装置３８０は、光路切換部品である可動式ハーフミラー３８１を透過した光を他の光学部品を介さずに直接検出する位置に受光素子３８２が配置されるとともに、可動式ハーフミラー３８１によって反射された光を検出する位置に受光素子３８３、３８４が配置されて従来より上流の光を検出するので、光信号の検出の信頼性を従来より向上することができる。
【０２７６】
（第２０の実施の形態）
まず、第２０の実施の形態に係る光通信システムの構成について説明する。
【０２７７】
なお、本実施の形態に係る光通信システムの構成のうち、第１９の実施の形態に係る光通信システムの構成と同様な構成については、第１９の実施の形態に係る光通信システムの構成と同一の符号を付して詳細な説明を省略する。
【０２７８】
本実施の形態に係る光通信システムの構成は、図３１に示すＭＥＭＳの光路切換装置４００を光路切換装置３８０（図３０参照。）に代えて第１９の実施の形態に係る光通信システムが備えた構成と同様である。
【０２７９】
光路切換装置４００の構成は、光を検出する光検出部品としての受光素子４０１、４０２と、光を吸収する光吸収体４０３、４０４とを受光素子３８２〜３８４（図３０参照。）に代えて光路切換装置３８０が備えた構成と同様である。
【０２８０】
受光素子４０１、４０２及び光吸収体４０３、４０４は、プラットフォーム３６２に固定されている。
【０２８１】
次に、本実施の形態に係る光通信システムの動作について説明する。
【０２８２】
制御装置１４は、光ファイバ３６３に接続された回線に障害が生じていないと判断しているとき、光ファイバ３６３から出射された光の量を受光素子４０１からの電気信号に基づいて算出する。そして、制御装置１４は、光ファイバ３６３から出射された光の量が所定の範囲内の量であると、光ファイバ３６３に接続された回線に障害が生じていないと判断し、可動式ハーフミラー３８１が図３１（ａ）に示す位置に待機するように可動式ハーフミラー３８１に制御信号を送信する。したがって、可動式ハーフミラー３８１は、制御装置１４からの制御信号に応じて図３１（ａ）に示す位置に待機する。
【０２８３】
可動式ハーフミラー３８１が図３１（ａ）に示す位置であるとき、光路切換装置４００内の光は図３１（ａ）に点線の矢線で示すように進行する。即ち、光ファイバ３６３から出力された光は、一部（以下、例として９５％として説明する。）が可動式ハーフミラー３８１によって反射されて光ファイバ３６５に入力されるとともに、残り５％が可動式ハーフミラー３８１を通過して受光素子４０１によって検出される。光ファイバ３６４から出力された光は、９５％が可動式ハーフミラー３８１によって反射されて光吸収体４０４に吸収されるとともに、残り５％が可動式ハーフミラー３８１を通過して受光素子４０２によって検出される。
【０２８４】
したがって、光ファイバ３６３に接続された回線に障害が生じていないと制御装置１４が判断したとき、光ファイバ３６３に接続された回線を通った光信号が光受信装置１２に受信される。
【０２８５】
一方、制御装置１４は、光ファイバ３６３から出射された光の量が所定の範囲内の量ではないとき、光ファイバ３６３に接続された回線に障害が生じていると判断し、可動式ハーフミラー３８１が図３１（ｂ）に示す位置になるように可動式ハーフミラー３８１に制御信号を送信する。したがって、可動式ハーフミラー３８１は、制御装置１４からの制御信号に応じて図３１（ｂ）に示す位置になる。
【０２８６】
可動式ハーフミラー３８１が図３１（ｂ）に示す位置であるとき、光路切換装置４００内の光は図３１（ｂ）に点線の矢線で示すように進行する。即ち、光ファイバ３６３から出力された光は、９５％が可動式ハーフミラー３８１で反射して光吸収体４０３に吸収されるとともに、残り５％が可動式ハーフミラー３８１を通過して受光素子４０１によって検出される。一方、光ファイバ３６４から出力された光は、９５％が可動式ハーフミラー３８１によって反射されて光ファイバ３６５に入力されるとともに、残り５％が可動式ハーフミラー３８１を通過して受光素子４０２によって検出される。
【０２８７】
したがって、光ファイバ３６３に接続された回線に障害が生じていると制御装置１４が判断したとき、光ファイバ３６４に接続された回線を通った光信号が光受信装置１２に受信される。
【０２８８】
なお、制御装置１４は、受光素子４０２からの電気信号に基づいて、光ファイバ３６４に接続された回線に障害が生じているか否かについても常時監視している。
【０２８９】
以上に説明したように、光路切換装置４００は、光路切換部品である可動式ハーフミラー３８１を透過した光を他の光学部品を介さずに直接検出する位置に受光素子４０１、４０２が配置されて従来より上流の光を検出するので、光信号の検出の信頼性を従来より向上することができる。
【０２９０】
（第２１の実施の形態）
まず、第２１の実施の形態に係る光通信システムの構成について説明する。
【０２９１】
なお、本実施の形態に係る光通信システムの構成のうち、第２０の実施の形態に係る光通信システムの構成と同様な構成については、第２０の実施の形態に係る光通信システムの構成と同一の符号を付して詳細な説明を省略する。
【０２９２】
本実施の形態に係る光通信システムの構成は、図３２に示すＭＥＭＳの光路切換装置４２０を光路切換装置４００（図３１参照。）に代えて第２０の実施の形態に係る光通信システムが備えた構成と同様である。
【０２９３】
光路切換装置４２０の構成は、入射光の一部（以下、例として９５％として説明する。）を反射して残り５％を通過させる可動式ハーフミラー４２１を可動式ハーフミラー３８１（図３１参照。）に代えて光路切換装置４００が備え、プラットフォーム３６２に対する光ファイバ３６３〜３６５、受光素子４０１、４０２及び光吸収体４０３、４０４の固定位置が変更された構成と同様である。
【０２９４】
可動式ハーフミラー４２１は、制御装置１４（図１参照。）からの制御信号に応じて、図３２（ａ）に示す位置及び図３２（ｂ）に示す位置の間を直線移動するようになっており、自身の直線移動、即ち、自身の状態の変化によって光の経路を切り換える光路切換部品を構成している。
【０２９５】
次に、本実施の形態に係る光通信システムの動作について説明する。
【０２９６】
制御装置１４は、光ファイバ３６３に接続された回線に障害が生じていないと判断しているとき、光ファイバ３６３から出射された光の量を受光素子４０１からの電気信号に基づいて算出する。そして、制御装置１４は、光ファイバ３６３から出射された光の量が所定の範囲内の量であると、光ファイバ３６３に接続された回線に障害が生じていないと判断し、可動式ハーフミラー４２１が図３２（ａ）に示す位置に待機するように可動式ハーフミラー４２１に制御信号を送信する。したがって、可動式ハーフミラー４２１は、制御装置１４からの制御信号に応じて図３２（ａ）に示す位置に待機する。
【０２９７】
可動式ハーフミラー４２１が図３２（ａ）に示す位置であるとき、光路切換装置４２０内の光は図３２（ａ）に点線の矢線で示すように進行する。即ち、光ファイバ３６３から出力された光は、９５％が可動式ハーフミラー４２１によって反射されて光ファイバ３６５に入力されるとともに、残り５％が可動式ハーフミラー４２１を通過して受光素子４０１によって検出される。光ファイバ３６４から出力された光は、９５％が可動式ハーフミラー４２１によって反射されて光吸収体４０４に吸収されるとともに、残り５％が可動式ハーフミラー４２１を通過して受光素子４０２によって検出される。
【０２９８】
したがって、光ファイバ３６３に接続された回線に障害が生じていないと制御装置１４が判断したとき、光ファイバ３６３に接続された回線を通った光信号が光受信装置１２に受信される。
【０２９９】
一方、制御装置１４は、光ファイバ３６３から出射された光の量が所定の範囲内の量ではないとき、光ファイバ３６３に接続された回線に障害が生じていると判断し、可動式ハーフミラー４２１が図３２（ｂ）に示す位置になるように可動式ハーフミラー４２１に制御信号を送信する。したがって、可動式ハーフミラー４２１は、制御装置１４からの制御信号に応じて図３２（ｂ）に示す位置になる。
【０３００】
可動式ハーフミラー４２１が図３２（ｂ）に示す位置であるとき、光路切換装置４２０内の光は図３２（ｂ）に点線の矢線で示すように進行する。即ち、光ファイバ３６３から出力された光は、９５％が可動式ハーフミラー４２１で反射して光吸収体４０３に吸収されるとともに、残り５％が可動式ハーフミラー４２１を通過して受光素子４０１によって検出される。一方、光ファイバ３６４から出力された光は、９５％が可動式ハーフミラー４２１によって反射されて光ファイバ３６５に入力されるとともに、残り５％が可動式ハーフミラー４２１を通過して受光素子４０２によって検出される。
【０３０１】
したがって、光ファイバ３６３に接続された回線に障害が生じていると制御装置１４が判断したとき、光ファイバ３６４に接続された回線を通った光信号が光受信装置１２に受信される。
【０３０２】
なお、制御装置１４は、受光素子４０２からの電気信号に基づいて、光ファイバ３６４に接続された回線に障害が生じているか否かについても常時監視している。
【０３０３】
以上に説明したように、光路切換装置４２０は、光路切換部品である可動式ハーフミラー４２１を透過した光を他の光学部品を介さずに直接検出する位置に受光素子４０１、４０２が配置されて従来より上流の光を検出するので、光信号の検出の信頼性を従来より向上することができる。
【産業上の利用可能性】
【０３０４】
以上のように、本発明に係る光路切換装置は、光信号の検出の信頼性を従来より向上することができるという効果を有し、光通信用の光路切換装置等として有用である。
【図面の簡単な説明】
【０３０５】
【図１】本発明の第１の実施の形態に係る光通信システムのブロック図
【図２】図１に示す光通信システムの光路切換装置の側面断面図
【図３】（ａ）図２に示す光路切換装置の上面断面図  （ｂ）図３（ａ）に示す状態とは異なる状態での図２に示す光路切換装置の上面断面図
【図４】図２に示す光路切換装置の反射ミラーの上面図
【図５】図２に示す構成とは異なる構成での本発明の第１の実施の形態に係る光通信システムの光路切換装置の一部分の側面断面図
【図６】（ａ）本発明の第２の実施の形態に係る光通信システムの光路切換装置の上面断面図  （ｂ）図６（ａ）に示す状態とは異なる状態での図６（ａ）に示す光路切換装置の上面断面図
【図７】（ａ）本発明の第３の実施の形態に係る光通信システムの光路切換装置の上面断面図  （ｂ）図７（ａ）に示す状態とは異なる状態での図７（ａ）に示す光路切換装置の上面断面図
【図８】（ａ）本発明の第４の実施の形態に係る光通信システムの光路切換装置の上面断面図  （ｂ）図８（ａ）に示す状態とは異なる状態での図８（ａ）に示す光路切換装置の上面断面図
【図９】図８に示す光路切換装置のガラスブロックの上面図
【図１０】図９に示す構成とは異なる構成での本発明の第４の実施の形態に係る光通信システムの光路切換装置のガラスブロックの上面図
【図１１】（ａ）本発明の第５の実施の形態に係る光通信システムの光路切換装置の上面断面図  （ｂ）図１１（ａ）に示す状態とは異なる状態での図１１（ａ）に示す光路切換装置の上面断面図
【図１２】（ａ）本発明の第６の実施の形態に係る光通信システムの光路切換装置の上面断面図  （ｂ）図１２（ａ）に示す状態とは異なる状態での図１２（ａ）に示す光路切換装置の上面断面図
【図１３】（ａ）本発明の第７の実施の形態に係る光通信システムの光路切換装置の上面断面図  （ｂ）図１３（ａ）に示す状態とは異なる状態での図１３（ａ）に示す光路切換装置の上面断面図
【図１４】（ａ）本発明の第８の実施の形態に係る光通信システムの光路切換装置の上面断面図  （ｂ）図１４（ａ）に示す状態とは異なる状態での図１４（ａ）に示す光路切換装置の上面断面図
【図１５】（ａ）本発明の第９の実施の形態に係る光通信システムの光路切換装置の上面断面図  （ｂ）図１５（ａ）に示す状態とは異なる状態での図１５（ａ）に示す光路切換装置の上面断面図
【図１６】図１５に示す光路切換装置の反射ミラーの上面図
【図１７】（ａ）本発明の第１０の実施の形態に係る光通信システムの光路切換装置の上面断面図  （ｂ）図１７（ａ）に示す状態とは異なる状態での図１７（ａ）に示す光路切換装置の上面断面図
【図１８】図１７に示す光路切換装置の反射ミラーの上面図
【図１９】（ａ）本発明の第１１の実施の形態に係る光通信システムの光路切換装置の上面断面図  （ｂ）図１９（ａ）に示す状態とは異なる状態での図１９（ａ）に示す光路切換装置の上面断面図
【図２０】（ａ）本発明の第１２の実施の形態に係る光通信システムの光路切換装置の上面断面図  （ｂ）図２０（ａ）に示す状態とは異なる状態での図２０（ａ）に示す光路切換装置の上面断面図
【図２１】図２０に示す光路切換装置のプリズムの上面図
【図２２】（ａ）本発明の第１３の実施の形態に係る光通信システムの光路切換装置の上面断面図  （ｂ）図２２（ａ）に示す状態とは異なる状態での図２２（ａ）に示す光路切換装置の上面断面図
【図２３】（ａ）本発明の第１４の実施の形態に係る光通信システムの光路切換装置の上面断面図  （ｂ）図２３（ａ）に示す状態とは異なる状態での図２３（ａ）に示す光路切換装置の上面断面図
【図２４】図２３に示す光路切換装置の受光素子の上面図
【図２５】（ａ）本発明の第１５の実施の形態に係る光通信システムの光路切換装置の上面断面図  （ｂ）図２５（ａ）に示す状態とは異なる状態での図２５（ａ）に示す光路切換装置の上面断面図
【図２６】（ａ）本発明の第１６の実施の形態に係る光通信システムの光路切換装置の上面断面図  （ｂ）図２６（ａ）に示す状態とは異なる状態での図２６（ａ）に示す光路切換装置の上面断面図
【図２７】（ａ）本発明の第１７の実施の形態に係る光通信システムの光路切換装置の上面断面図  （ｂ）図２７（ａ）に示す状態とは異なる状態での図２７（ａ）に示す光路切換装置の上面断面図
【図２８】（ａ）本発明の第１８の実施の形態に係る光通信システムの光路切換装置の上面断面図  （ｂ）図２８（ａ）に示す状態とは異なる状態での図２８（ａ）に示す光路切換装置の上面断面図
【図２９】図２８に示す光路切換装置の側面断面図
【図３０】（ａ）本発明の第１９の実施の形態に係る光通信システムの光路切換装置の上面断面図  （ｂ）図３０（ａ）に示す状態とは異なる状態での図３０（ａ）に示す光路切換装置の上面断面図
【図３１】（ａ）本発明の第２０の実施の形態に係る光通信システムの光路切換装置の上面断面図  （ｂ）図３１（ａ）に示す状態とは異なる状態での図３１（ａ）に示す光路切換装置の上面断面図
【図３２】（ａ）本発明の第２１の実施の形態に係る光通信システムの光路切換装置の上面断面図  （ｂ）図３２（ａ）に示す状態とは異なる状態での図３２（ａ）に示す光路切換装置の上面断面図
【符号の説明】
【０３０６】
２０  光路切換装置
２６  平行プリズム（光路切換部品）
３１、３２  受光素子（光検出部品）
４０  光路切換装置
６０  光路切換装置
８０  光路切換装置
１００  光路切換装置
１２０  光路切換装置
１４０  光路切換装置
１６０  光路切換装置
１８０  光路切換装置
２００  光路切換装置
２２０  光路切換装置
２４０  光路切換装置
２６０  光路切換装置
２８０  光路切換装置
３００  光路切換装置
３０２〜３０４  受光素子（光検出部品）
３２０  光路切換装置
３２１  平行プリズム（光路切換部品）
３２３、３２４  受光素子（光検出部品）
３４０  光路切換装置
３４１  液晶偏光回転子（光路切換部品）
３６０  光路切換装置
３６６  可動式反射ミラー（光路切換部品）
３６９、３７０  受光素子（光検出部品）
３８０  光路切換装置
３８１  可動式ハーフミラー（光路切換部品）
３８２、３８３、３８４  受光素子（光検出部品）
４００  光路切換装置
４０１、４０２  受光素子（光検出部品）
４２０  光路切換装置
４２１  可動式ハーフミラー（光路切換部品）
【図１】
2006251045.tif 000005
【図２】
2006251045.tif 000006
【図３】
2006251045.tif 000007
【図４】
2006251045.tif 000008
【図５】
2006251045.tif 000009
【図６】
2006251045.tif 000010
【図７】
2006251045.tif 000011
【図８】
2006251045.tif 000012
【図９】
2006251045.tif 000013
【図１０】
2006251045.tif 000014
【図１１】
2006251045.tif 000015
【図１２】
2006251045.tif 000016
【図１３】
2006251045.tif 000017
【図１４】
2006251045.tif 000018
【図１５】
2006251045.tif 000019
【図１６】
2006251045.tif 000020
【図１７】
2006251045.tif 000021
【図１８】
2006251045.tif 000022
【図１９】
2006251045.tif 000023
【図２０】
2006251045.tif 000024
【図２１】
2006251045.tif 000025
【図２２】
2006251045.tif 000026
【図２３】
2006251045.tif 000027
【図２４】
2006251045.tif 000028
【図２５】
2006251045.tif 000029
【図２６】
2006251045.tif 000030
【図２７】
2006251045.tif 000031
【図２８】
2006251045.tif 000032
【図２９】
2006251045.tif 000033
【図３０】
2006251045.tif 000034
【図３１】
2006251045.tif 000035
【図３２】
2006251045.tif 000036